(57)【要約】      （修正有）【課題】傾斜状態になり、工具を使わなくても取り付けられ、物置部分の取り付け高さを変えやすく、取り換えやすく、物を置く空間が調節しやすいため、組み合わせラックの使用利便性と変化性が向上する組み合わせラック構造を提供する。【解決手段】組み合わせラック構造は、支持フレーム１０と複数の物置部分２０とを含む。支持フレームは少なくとも二本の垂直管１１、１４と連接横棒１２とを合わせて組み立てられる。また各垂直管の後ろ側は対称的に複数の位置限定突起ブロック１１２、１４２が設けられ、物置部分を取り付けることができる。複数の物置部分は両側の掛けリブ２３と位置限定リブ２４によって二本の垂直管の上に挟まれて固定される。【選択図】図２
0003218203.tif 000002
【実用新案登録請求の範囲】
【請求項１】
支持フレームと複数の物置部分とを含む組み合わせラック構造であって、
前記支持フレームは、少なくとも二本の垂直管と複数の連接横棒があり、各前記垂直管の底部には底ベースがそれぞれ設けられて地面に立てられるようになっており、管本体には複数の貫通穴が互いに対称になるように設けられることにより、前記複数の連接横棒が枢接され、また各前記垂直管の後ろ側は複数の位置限定突起ブロックが対称的に設けられ、前記複数の位置限定突起ブロックの位置は前記複数の貫通穴とは互い違いであり、
前記複数の物置部分は、前記支持フレームの二本の垂直管の間に取り付けられ、前記複数の物置部分の両側はそれぞれ鉄棒によって互いに平行する掛けリブと位置限定リブが設けられ、前記掛けリブと位置限定リブの間に挟み空間が形成され、また前記挟み空間は前記垂直管の外径より大きいため、前記物置部分の掛けリブを二本の前記垂直管の同一高さにある位置限定突起ブロックに当て、さらに前記位置限定リブを下で前記垂直管の前端に当てさせることで、前記物置部分が傾斜状態になり、それに二本の垂直管の間に挟まれて固定されるため、物を置いたり、収納したりする機能が提供されることを特徴とする組み合わせラック構造。
【請求項２】
前記支持フレームは複数の垂直管を含み、さらに前記各垂直管の間に連接横棒が連接されることによって、前記支持フレームに取り付けられる物置部分の数を増やすことができることを特徴とする請求項１の組み合わせラック構造。
【請求項３】
前記複数の垂直管の頂端には外径の小さい組み合わせ部がそれぞれ設けられることにより、上へ延伸垂直管を連接させ、前記延伸垂直管本体にも複数の貫通穴と位置限定突起ブロックが設けられ、さらに頂端には組み合わせ部が設けられることを特徴とする請求項１または２の組み合わせラック構造。
【請求項４】
前記組み合わせ部の外径には縦方向に複数の切迫突起リブがそれぞれ設けられることを特徴とする請求項３の組み合わせラック構造。
【請求項５】
前記延伸垂直管の上端に頂部が設けられ、前記底ベースと前記頂部を利用して前記支持フレームを上下の互いに平行する表面の間に固定することを特徴とする請求項３の組み合わせラック構造。
【請求項６】
前記物置部分は、鉄棒を曲げて連接して形成されたフレームと、それに合わせてプラスチック板で構成された仕切り板とを含むことを特徴とする請求項１の組み合わせラック構造。
【請求項７】
前記物置部分は鉄棒を曲げて連接して形成されたフレームと、それに合わせてプラスチック板で構成されたバスケットとを含むことを特徴とする請求項１の組み合わせラック構造。
【請求項８】
前記支持フレームの二本の垂直管の底部には互いに平行する底ベースがそれぞれ設けられることを特徴とする請求項１の組み合わせラック構造。
【請求項９】
前記支持フレームの二本の垂直管の底部は互いに背中合わせで、そして外へ伸びる逆Ｙ字型の底ベースがそれぞれ設けられることを特徴とする請求項１の組み合わせラック構造。
【考案の詳細な説明】
【技術分野】
【０００１】
本考案はラック構造に関し、特に組み合わせラック構造に関する。
【背景技術】
【０００２】
ラックは物を置くまたは並べるために用いられ、収納空間を増加させることが目的である。市販品には種類の異なるラックがあり、一般的なラックは通常は固定される状態であり、さらに締め金具によって固定されるため、使用の際に物を置く空間の大きさを自由に調整できない上、増設方式によって物を置く空間を増大できないため、実用性と使用の利便性に欠け、消費者の購買意欲を低下させる。
【０００３】
従って、本考案者は長年にわたって関係商品の製造開発と設計経験により、上述の目標について、詳しく設計を行い慎重に評価した結果、実用性に満ちた本考案を得た。
【考案の概要】
【考案が解決しようとする課題】
【０００４】
本考案が解決しようとする課題は、従来技術に存在する上述の欠点について解決し、組み合わせラック構造を提供することである。
【課題を解決するための手段】
【０００５】
組み合わせてラック構造は、支持フレームと複数の物置部分とを含む。該支持フレームは少なくとも二本の垂直管と複数の連接横棒があり、各該垂直管の底部には底ベースがそれぞれ設けられて地面に立てられるようにする。管本体には複数の貫通穴が対称的に設けられ、前記複数の連接横棒が枢接されるためである。また各該垂直管の後ろ側には複数の位置限定突起ブロックが対称的に設けられ、前記複数の位置限定突起ブロックの位置は該貫通穴とは互い違いである。前記複数の物置部分は該支持フレームの二本の垂直管の間に取り付けられ、前記複数の物置部分の両側にはそれぞれ鉄棒によって互いに平行する掛けリブと位置限定リブが設けられる。該掛けリブと位置限定リブの間に挟み空間が形成され、また該挟み空間は該垂直管の外径より大きいため、該物置部分の掛けリブを二本の該垂直管の同一高さにある位置限定突起ブロックに当て、そして該位置限定リブを下で該垂直管の前端に当てさせることで、該物置部分が傾斜状態になり、それに二本の垂直管の間に挟まれて固定されるため、物を置いたり、収納したりすることが実現する。上述の構造によって、組み合わせラック構造が構成される。
【０００６】
該支持フレームは複数の垂直管が設けられ、さらに各該垂直管の間に連接横棒が連接されることによって、該支持フレームが取り付けられる物置部分の数が増やされる。
【０００７】
前記複数の垂直管の頂端には外径の小さい組み合わせ部がそれぞれ設けられるのは、上へ延伸垂直管を連接させるためである。該延伸垂直管本体にも複数の貫通穴と位置限定突起ブロックが設けられ、さらに頂端には組み合わせ部が設けられる。
【０００８】
上述組み合わせ部の外径には縦方向に複数の切迫突起リブがそれぞれ設けられる。
【０００９】
さらに、該延伸垂直管の上端に頂部が設けられ、該底ベースと該頂部を利用して該支持フレームを上下が互いに平行する表面の間に固定する。
【００１０】
該物置部分は、鉄棒を曲げて連接して形成されたフレームと、それに合わせてプラスチック板で構成された仕切り板とを含む。
【００１１】
該物置部分は、鉄棒を曲げて連接して形成されたフレームと、それに合わせてプラスチック板で構成されたバスケットとを含む。
【００１２】
該支持フレームの二本の垂直管の底部には互いに平行する底ベースがそれぞれ設けられる。
【００１３】
該支持フレームの二本の垂直管の底部は互いに背中合わせで、そして外へ伸びる逆Ｙ字型の底ベースがそれぞれ設けられる。
【００１４】
本考案の支持フレームは少なくとも二本の垂直管と連接横棒とを合わせて組み立てられる。また各該垂直管の後ろ側は複数の位置限定突起ブロックが対称的に設けられ、物置部分が取り付けられるように提供される。前記複数の物置部分は両側の掛けリブと位置限定リブによって二本の垂直管の上に挟まれて固定され、また傾斜状態になり、工具を使わなくても取り付けられるため、物を置いたり、収納したりする目的を果し、さらに物置部分の取り付け高さを変えやすく、取り換えやすく、各物置部分における物を置く空間が調節しやすい。そのほか、該支持フレームは左右に垂直管の数を増やすことができ、さらに上に延伸垂直管を増設でき、徐々に該支持フレームの架設面積を増大できることによって、支持フレームの取り付け利便性を向上できると同時に支持フレームの取り付け数も増やせられるため、組み合わせラックの使用の利便性が向上する。
【図面の簡単な説明】
【００１５】
【図１】図１は、本考案に係る組み合わせラック構造を示す立体図である。
【図２】図２は、本考案に係る組み合わせラック構造を示す分解図である。
【図３】図３は、本考案のもう一つの底ベースの状態を示す図である。
【図４】図４は、本考案の組み合わせ側面図及び局部拡大を示す図である。
【図５】図５は、本考案に係る組み合わせラック構造を示す組み合わせ前視図である。
【図６】図６は、本考案の断面図及び局部拡大を示す図である。
【図７】図７は、本考案のもう一つの実施方法を示す立体図である。
【図８】図８は、本考案のもう一つの実施方法を示す図である。
【図９】図９は、本考案のまたもう一つの実施方法を示す図である。
【考案を実施するための形態】
【００１６】
まず、図１と図２を参照されたい。本考案の組み合わせラック構造は、支持フレーム１０と複数の物置部分２０とを含む。該支持フレーム１０は二本の垂直管１１と複数の連接横棒１２があり、各該垂直管１１の底部には平行に底ベース１３が設けられて地面に立てられるようにし、管本体には複数の貫通穴１１１が対称的に設けられ、前記複数の連接横棒１２が枢接されるようになっている。また各該垂直管１１の後ろ側は複数の位置限定突起ブロック１１２が対称的に設けられ、前記複数の位置限定突起ブロック１１２の位置は該貫通穴１１１とは互い違いである。また前記複数の垂直管１１の頂端には外径の小さい組み合わせ部１１３がそれぞれ設けられ、上へ延伸垂直管１４を連接させるようになっている。該延伸垂直管１４本体にも複数の貫通穴１４１と位置限定突起ブロック１４２が設けられ、さらに頂端には組み合わせ部１４３が設けられる。また上述組み合わせ部１１３、１４３の外径は縦方向に複数の切迫突起リブ１１４、１４４がそれぞれ設けられる。複数の物置部分２０は該支持フレーム１０の二本の垂直管１１の間に取り付けられる。前記複数の物置部分２０は鉄棒を曲げて連接してフレーム２１に形成され、さらにプラスチック板２２と合わせて仕切り板或いはバスケットに構成される。該フレーム２１の両側はそれぞれ鉄棒によって互いに平行する掛けリブ２３と位置限定リブ２４が設けられる。該掛けリブ２３と位置限定リブ２４の間に挟み空間２５が形成され、また該挟み空間２５は前記複数の垂直管１１と延伸垂直管１４の外径より大きい。
【００１７】
図３に示されるように、上述支持フレーム１０の二本の垂直管１１の底部は互いに背中合わせで、そして外へ伸びる逆Ｙ字型の底ベース１３がそれぞれ設けられる。
【００１８】
その構造の組み合わせと使用は引き続き図１、図２、図４、図５、図６を参照しながら説明する。該支持フレーム１０の二本の垂直管１１は互いに平行に並ばれ、また二本の垂直管１１には相対する位置にある貫通穴１１１の間に連接横棒１２が枢設される。さらに、各該垂直管１１の底部には底ベース１３が設けられ、該支持フレーム１０がしっかりと地面に立てられるようにし、そして複数の物置部分２０を二本の垂直管１１の間に取り付ける。該物置部分２０を取り付ける時、該物置部分２０の両側に該掛けリブ２３と該位置限定リブ２４の間にある挟み空間２５は先に二本の垂直管１１の外に設置し、そして該掛けリブ２３を二本の該垂直管１１の同じ高さにある位置限定突起ブロック１１２に当て、該位置限定リブ２４を下で二本の該垂直管１１の前端に当てさせることで、前記複数の物置部分２０が傾斜状態になり、それに二本の垂直管１１の間に挟まれて固定されるため、物を置いたり、収納したりする機能が提供される。二本の該垂直管１１の上端に組み合わせ部１１３がそれぞれ設けられ、上へ延伸垂直管１４を連接できる。また前記複数の延伸垂直管１４の上端にも組み合わせ部１４３が設けられ、ほかの延伸垂直管１４が組接して延長されるためである。さらに上述の組み合わせ部１１３、１４３が外径に縦方向の切迫リブを配置することによって、大幅に垂直管１１と延伸垂直管１４の間の締め具合を向上できる。二つの平行する延伸垂直管１４の間は同じように貫通穴１４１を利用して連接横棒１２が枢設され、二つの延伸垂直管１４の間の安定性が増加される。さらに複数の互いに対称する位置限定突起ブロック１４２によって物置部分２０が取り付けられることで、該支持フレーム１０の高さが延伸され、徐々に物置部分２０の取り付け数が増加される。
【００１９】
その構造のもう一つの実施方法は引き続き図７と図８を参照されたい。該延伸垂直管１４の上端には頂部１５が設けられ、さらに該底ベース１３と該頂部１５を利用して該支持フレーム１０を上下の互いに平行する表面に伸ばし、例えば床と天井との間など、しっかり固定する架設状態になり、少しずつ該支持フレーム１０の安定性を向上する。
【００２０】
その構造のもう一つの実施方法は、図９を参照しながら説明する。該支持フレーム１０は横方向に複数の垂直管１１が並べ設けられ、また各該垂直管１１の間に連接横棒１２が連接されることで、該垂直管１１の数を左右に拡張でき、該支持フレーム１０の架設面積が増加される。また各該垂直管１１の上端は組み合わせ部１１３を利用して延伸垂直管１４を上へ組接して延伸させ、さらに各該延伸垂直管１４の上端には頂部１５が設けられ、しっかり固定する架設状態になることで、該支持フレーム１０は取り付けられる物置部分２０の数を増やすことができるため、消費者がそれを増設しやすい。
【００２１】
上述の具体的な実施例構造により、以下の効果が得られる。本考案の支持フレーム１０は少なくとも二本の垂直管１１と連接横棒１２を合わせて組み立てられる。また各該垂直管１１の後ろ側に対称的に複数の位置限定突起ブロック１１２が設けられ、物置部分２０が取り付けられるために提供される。前記複数の物置部分２０は両側の掛けリブ２３と位置限定リブ２４によって二本の垂直管１１の上に挟まれて固定され、また傾斜状態になり、工具を使わなくても取り付けられるため、物を置いたり、収納したりする目的を果たし、さらに物置部分２０の取り付け高さを変えやすく、取り換えやすく、各物置部分２０における物を置く空間が調節しやすい。そのほか、該支持フレーム１０は左右に垂直管１１の数を増やすことができ、さらに上に延伸垂直管１４を増設でき、徐々に該支持フレーム１０の架設面積を増大できることによって、支持フレーム１０の取り付け利便性を増加できると同時に支持フレーム１０の取り付け数も増やすことができるため、組み合わせラックの使用の利便性が向上する。
【００２２】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２３】
１０              支持フレーム
１１              垂直管
１１１            貫通穴
１１２            位置限定突起ブロック
１１３            組み合わせ部
１１４            切迫突起リブ
１２              連接横棒
１３              底ベース
１４              延伸垂直管
１４１            貫通穴
１４２            位置限定突起ブロック
１４３            組み合わせ部
１４４            切迫突起リブ
１５              頂部
２０              物置部分
２１              フレーム
２２              プラスチック板
２３              掛けリブ
２４              位置限定リブ
２５              挟み空間
【図１】
0003218203.tif 000003
【図２】
0003218203.tif 000004
【図３】
0003218203.tif 000005
【図４】
0003218203.tif 000006
【図５】
0003218203.tif 000007
【図６】
0003218203.tif 000008
【図７】
0003218203.tif 000009
【図８】
0003218203.tif 000010
【図９】
0003218203.tif 000011